(57)【要約】【課題】患者画像の変更時、あるいは次回に同患者画像が選択された時、その患者画像の画面終了時の画像が直ぐに再表示できる画面表示処理方法を提供すること。【解決手段】患者の画面終了時の画像を保存する画面保存ステップと、保存された画面終了時の画像を呼び出す画面出力ステップと、呼び出した画像を表示する画面表示ステップとを備え、複数の患者画像から目的とする画像を選択して患者画像を変更する時、あるいは患者画像が表示され、画像の位置や解析経過等が表示されている状態で、画面を閉じプログラムを終了する時、その時点で表示されている画像の位置や解析経過等を、その状態で保存して、次回、同じ患者画像選択時に保存した時点での状態の画像を再表示させる。【選択図】  なし【特許請求の範囲】
【請求項１】
コンピュータのディスプレイ画面に表示されている患者画像を保存する画面保存ステップと、患者画像選択時に保存してある患者画像を前記ディスプレイ画面に呼び出す画面出力ステップと、前記ディスプレイ画面に患者画像を表示する画面表示ステップとを備え、患者画像選択時に、患者画像を前記ディスプレイ画面に表示させる歯顎顔面領域のＸ線画像の画面表示処理方法において、複数の患者画像から目的とする画像を選択して患者画像を変更する時、及び患者画像が表示され、画像の位置や画像の解析経過等が表示されている状態で画面を閉じプログラムを終了する時に、その時点でコンピュータの前記ディスプレイ画面に表示されている画像の位置や解析経過等を、その状態で保存する保存ステップと、次回、同じ患者画像選択時に、前記保存した時点での状態の画像を前記ディスプレイ画面に呼び出す画面出力ステップと、前記ディスプレイ画面に再表示する画面表示ステップとを備えたことを特徴とする歯顎顔面領域のＸ線画像の画面表示処理方法。
【請求項２】
患者画像を選択するための入力装置と、ディスプレイ画面に表示されている患者画像を保存する記憶装置と、患者画像をディスプレイ画面に表示する表示装置とを備えた、歯顎顔面領域のＸ線画像の画面表示処理装置において、複数の患者画像から目的とする画像を選択して患者画像を変更する時、及び患者画像が表示され、画像の位置や画像の解析経過等が表示されている状態で画面を閉じプログラムを終了する時に、その時点で表示されている画像の位置や解析経過等を、その状態で保存する記憶装置と、次回、同じ患者画像選択時に、前記保存した時点での画像を画面に再表示させる表示装置を備えたことを特徴とする歯顎顔面領域のＸ線画像の画面表示処理装置。
【請求項３】
複数の患者画像から目的とする画像を選択して患者画像を変更する時、及び患者画像が表示され、画像の位置や画像の解析経過等が表示されている状態で画面を閉じプログラムを終了する時に、その時点で表示されている画像の位置や解析経過等を、その状態で保存した画像を、次回、同じ患者画像選択時に前記ディスプレイ画面に前記保存した時点での画像を再表示させるようにコンピュータに実行させるための、画面表示処理プログラムを記憶したコンピュータ読み取り可能な記録媒体。
【請求項４】
複数の患者画像から目的とする画像を選択して患者画像を変更する時、及び患者画像が表示され、画像の位置や画像の解析経過等が表示されている状態で画面を閉じプログラムを終了する時に、その時点でコンピュータのディスプレイ画面に表示されている画像の位置や解析経過等を、その状態で保存して、次回、同じ患者画像選択時に、前記保存した時点での状態の画像をディスプレイ画面に呼び出し、ディスプレイ画面に再表示する機能は、ユーザーが、その機能を設定により有効にするか、無効にするかを選択できるよう選択機能を設けたことを特徴とする請求項１記載の歯顎顔面領域のＸ線画像の画面表示処理方法。
【発明の詳細な説明】
【０００１】
【発明の属する技術分野】
本発明は、パノラマ撮影、セファロ撮影及び口腔内撮影等のＸ線画像データの画面表示処理方法及び、その画面表示処理方法を実施するために使用される画面表示処理装置、並びに前記画面表示処理方法をコンピュータに実行させるための画面表示処理プログラムを記録したコンピュータ読み取り可能な記録媒体に関する。
【０００２】
【従来の技術】
通常、患者を導入する前に、チェアサイドにあるディスプレイ画面に、その患者の撮影画像を表示させることがあるが、従来のシステムでは患者が変更された場合、変更された患者の撮影画像を画面に表示するために、複数の患者の撮影画像一覧から目的とする撮影画像を選択する必要があり、この時、画像の位置移動や画像解析等を再度行う必要がある。このように次回、同患者が選択された場合、複数の患者の画像一覧から画像を選択して、画像の位置移動や画像解析等を再度行っている。これは、術者にとっては、非常に手間であり、時間がかかることになる。また患者にとっては、チェアサイドで目的とする画像が表示されるまで待たされることになる。
【０００３】
【発明が解決しようとする課題】
本発明は、以上の状況に鑑みなされたもので、その解決しようとする課題は、複数の患者画像から目的とする画像を選択して患者画像を変更する時、及び患者画像が表示され、画像の位置や画像の解析経過等が表示されている状態で画面を閉じプログラムを終了する時に、その時点で画面に表示されている画像を保存し、次回、同じ患者画像選択時に、保存されている画像を再表示させるための画像表示処理方法を提供すること、および好適に実施できる画像表示処理装置を提供すること、並びに、画像表示処理方法を実行させるための画像表示処理プログラムを記録したコンピュータ読み取り可能な記録媒体を提供することを目的とする。
【０００４】
【課題が解決しようとする手段】
請求項１に係る発明は、コンピュータのディスプレイ画面に表示されている患者画像を保存する画面保存ステップと、患者画像選択時に保存してある患者画像をディスプレイ画面に呼び出す画面出力ステップと、ディスプレイ画面に患者画像を表示する画面表示ステップとを備え、患者画像選択時に、患者画像をディスプレイ画面に表示させる歯顎顔面領域のＸ線画像の画面表示処理方法において、複数の患者画像から目的とする画像を選択して患者画像を変更する時、及び患者画像が表示され、画像の位置や画像の解析経過等が表示されている状態で画面を閉じプログラムを終了する時に、その時点でコンピュータのディスプレイ画面に表示されている画像の位置や解析経過等を、その状態で保存して次回、同じ患者画像選択時に、保存した時点での状態の画像をディスプレイ画面に再表示することを特徴とする。
【０００５】
請求項２に係る発明は、患者画像変更時に患者画像を選択するための入力装置と、ディスプレイ画面に表示されている患者画像を保存する記憶装置と、患者画像をディスプレイ画面に表示する表示装置とを備えた、歯顎顔面領域のＸ線画像の画面表示処理装置において、複数の患者画像から目的とする画像を選択して患者画像を変更する時、及び患者画像が表示され、画像の位置や画像の解析経過等が表示されている状態で画面を閉じプログラムを終了する時に、その時点で表示されている画像の位置や解析経過等を、その状態で保存する記憶装置と、次回、同じ患者画像選択時に、保存した時点での画像を画面に再表示させる表示装置を備えたことを特徴とする。
【０００６】
請求項３に係る発明は、画面表示処理プログラムを記録したコンピュータ読み取り可能な記録媒体において、複数の患者画像から目的とする画像を選択して患者画像を変更する時、及び患者画像が表示され、画像の位置や画像の解析経過等が表示されている状態で画面を閉じプログラムを終了する時に、その時点で表示されている画像の位置や解析経過等を、その状態で保存した画像を、次回、同じ患者画像選択時に、ディスプレイ画面に保存した時点での画像を再表示させるようにコンピュータに実行させることを特徴とする。
【０００７】
請求項４に係る発明は、複数の患者画像から目的とする画像を選択して患者画像を変更する時、及び患者画像が表示され、画像の位置や画像の解析経過等が表示されている状態で画面を閉じプログラムを終了する時に、その時点でコンピュータのディスプレイ画面に表示されている画像の位置や解析経過等を、その状態で保存して、次回、同じ患者画像選択時に、保存した時点での状態の画像をディスプレイ画面に呼び出し、ディスプレイ画面に再表示する機能は、ユーザーが、その機能を設定により有効にするか、無効にするかを選択できる。
【０００８】
【発明の実施の形態】
以下、この発明を図面を参照しながら実施の形態を説明する。
【０００９】
図１は、この発明に係る画面表示処理方法を実施するために使用される画面表示処理装置のハードウェア構成の１実施例を示す図である。この画面表示処理装置は、システム全体を統括的に制御し必要な演算処理を行う中央処理装置（ＣＰＵ）１、このＣＰＵ１に接続された記憶装置２、ＣＰＵ１への入出力を管理する入出力制御部３、並びに、入出力制御部３に、それぞれ接続された入力装置４、ＬＣＤやＣＲＴディスプレイ等の表示装置５およびプリンタ等の出力装置６から構成されているコンピュータ（パソコン）システムである。
【００１０】
ＣＰＵ１は、ＯＳ（基本ソフトウェア）等の制御プログラム、後述する画面表示処理手順を規定し、患者画像の画面終了時の画像を再表示させる画面表示処理プログラム、および、画面終了時の画像データを格納するための内部メモリを有している。記憶装置２は、ハードディスクやフレキシブルディスク、コンパクトディスク、光ディスク等により構成されている。入力装置４は、キーボードやマウス等のポインティングデバイスから構成されている。
【００１１】
ここで、複数の患者画像から目的とする画像を選択して患者画像を変更する時、及び患者画像が表示され、画像の位置や画像の解析経過等が表示されている状態で画面を閉じプログラムを終了する時に、その時点でコンピュータのディスプレイ画面に表示されている画像の位置や解析経過等を、その状態で保存する保存ステップと、次回、同じ患者画像選択時に、保存した時点での状態の画像をディスプレイ画面に呼び出す画面出力ステップと、ディスプレイ画面に再表示する画面表示ステップとを備えたことを特徴とする。
【００１２】
次に、図１に示したコンピュータシステムに、Ｘ線画像の画面表示処理プログラムを実行させてＸ線画像の画面表示処理を行う手順を、図２に示したフローチャートに基づいて説明する。
【００１３】
システムを起動させ、記憶装置２に保存されている患者画像を画面に表示させ、患者画像の画像の位置移動や解析等を行い、画像の位置や解析経過等が表示されている状態で画面を閉じプログラムを終了する時に、その時点で表示装置５に表示されている画像の位置や解析経過等を、その状態で保存する。（ステップＳ１）次回、同じ患者画像選択時に保存した時点での状態の画像を表示装置５に呼び出し、（ステップＳ２）呼び出した画像を表示装置５に再表示する。（ステップＳ３）
【００１４】
以上のような画面表示処理プログラムは、ＣＤ−ＲＯＭ等の記録媒体に記録されコンピュータシステムにインストールされて、コンピュータシステムにより実行される。
【００１５】
【発明の効果】
請求項１に係る発明によると、画面表示処理方法により複数の患者画像から目的とする画像を選択して患者画像を変更する時、あるいは患者画像が表示され、画像の位置や解析経過等が表示されている状態で、画面を閉じプログラムを終了する時、その時点で画面に表示されている画像の位置や解析経過等を、その状態で保存して、次回、同じ患者画像選択時に保存した状態の画像を再表示するため、画像一覧から目的とする画像を選択する必要がない。また画像の位置移動あるいは画像解析等を行った画像が表示されるため、表示された画像の位置移動あるいは画像解析等を再度行う必要がない。
【００１６】
請求項２に係る発明の画面表示処理装置を使用すると、請求項１に係る発明を好適に実施することができ、複数の患者画像から目的とする画像を選択して患者画像を変更する時、あるいは患者画像が表示され、画像の位置や解析経過等が表示されている状態で、画面を閉じプログラムを終了する時、その時点で画面に表示されている画像の位置や解析経過等を、その状態で保存して、次回、同じ患者画像選択時に保存した状態の画像を再表示するため、画像一覧から目的とする画像を選択する必要がない。また画像の位置移動あるいは画像解析等を行った画像が表示されるため、表示された画像の位置移動あるいは画像解析等を再度行う必要がない。
【００１７】
請求項３に係る発明の画面表示処理プログラムを記録したコンピュータ読み取り可能な記録媒体は、請求項１に係る発明の画面表示処理方法をコンピュータに実行させて、複数の患者画像から目的とする画像を選択して患者画像を変更する時、あるいは患者画像が表示され、画像の位置や解析経過等が表示されている状態で、画面を閉じプログラムを終了する時、その時点で画面に表示されている画像の位置や解析経過等を、その状態で保存して、次回、同じ患者画像選択時に保存した状態の画像を再表示するため、画像一覧から目的とする画像を選択する必要がない。また画像の位置移動あるいは画像解析等を行った画像が表示されるため、表示された画像の位置移動あるいは画像解析等を再度行う必要がない。
【００１８】
請求項４に係る発明の画面表示処理方法により複数の患者画像から目的とする画像を選択して患者画像を変更する時、あるいは患者画像が表示され、画像の位置や解析経過等が表示されている状態で、画面を閉じプログラムを終了する時、その時点で画面に表示されている画像の位置や解析経過等を、その状態で保存して、次回、同じ患者画像選択時に保存した状態の画像を再表示するため、画像一覧から目的とする画像を選択する必要がない。また画像の位置移動あるいは画像解析等を行った画像が表示されるため、表示された画像の位置移動あるいは画像解析等を再度行う必要がない。この機能を設定により有効あるいは無効にすることができる。
【００１９】
【図面の簡単な説明】
【図１】本発明に係る画面表示処理方法を実施するために使用される画面表示処理装置のハードウェア構成の１例である。
【図２】本発明に係る画面表示処理装置により、画面表示処理プログラムを実行させて画面表示処理を行う手順を説明するためのフローチャートの一部である。
【符号の説明】
１  中央処理装置（ＣＰＵ）
２  記憶装置
３  入出力制御部
４  入力装置
５  表示装置
６  出力装置
【図１】
2004329647.tif 000002
【図２】
2004329647.tif 000003